(57)【要約】【課題】カレンダー車の組み立て時間を短縮できるカレンダー車、時計、カレンダー歯車およびカレンダー歯車の製造方法を提供すること。【解決手段】日車３は、日板５と、日板５が取り付けられた日歯車４とを備える。日板５は、係合穴５１〜５３を備える。日歯車４は、複数の歯を有する歯車本体部４１と、歯車本体部４１と一体に形成され、歯車本体部４１から突出し、係合穴５１〜５３に挿通されて係合穴５１〜５３と係合する突出係合部４３１〜４３３とを備える。【選択図】図３
2017026380.tif 000002
【特許請求の範囲】
【請求項１】
カレンダー情報が表記されたカレンダー板と、
前記カレンダー板が取り付けられたカレンダー歯車と、を備え、
前記カレンダー板は、複数の係合穴を備え、
前記カレンダー歯車は、
複数の歯を有する歯車本体部と、
前記歯車本体部と一体に形成され、前記歯車本体部から突出し、前記係合穴に挿通されて前記係合穴と係合する複数の突出係合部と、を備える
ことを特徴とするカレンダー車。
【請求項２】
請求項１に記載のカレンダー車において、
前記係合穴のうちの１つの係合穴は、他の係合穴とは異なる形状またはサイズを有し、
前記突出係合部のうちの１つの突出係合部は、前記係合穴のうち、前記１つの係合穴にのみ挿通可能な形状またはサイズを有している
ことを特徴とするカレンダー車。
【請求項３】
請求項１または請求項２に記載のカレンダー車において、
前記カレンダー歯車は、内歯車であり、
前記カレンダー板は、平面中心が、前記カレンダー歯車の平面中心と同じ位置となるリング状に形成され、
前記カレンダー板の内周縁は、平面視において、前記カレンダー歯車の歯底円よりも内側に位置している
ことを特徴とするカレンダー車。
【請求項４】
請求項１から請求項３のいずれか一項に記載のカレンダー車を備える
ことを特徴とする時計。
【請求項５】
カレンダー情報が表記され、かつ、複数の係合穴を備えたカレンダー板が取り付けられるカレンダー歯車であって、
リング状に形成されたリング部と、前記リング部の内周面に形成された歯部と、前記リング部の外周面から外側に延出した複数の延出部とを有する歯車本体部と、
前記延出部と一体に形成され、前記延出部から突出する複数の突出係合部と、を備える
ことを特徴とするカレンダー歯車。
【請求項６】
請求項５に記載のカレンダー歯車の製造方法であって、
前記カレンダー歯車は、金型を用いた射出成形によって形成され、
前記金型において、前記リング部における前記延出部の内側部分に対応する位置に設けられたゲートから、前記カレンダー歯車の材料を注入することで、前記カレンダー歯車を成形する
ことを特徴とするカレンダー歯車の製造方法。
【発明の詳細な説明】
【技術分野】
【０００１】
本発明は、カレンダー車、時計、カレンダー歯車およびカレンダー歯車の製造方法に関する。
【背景技術】
【０００２】
従来、時計が備える日車の１つとして、日付が印刷された日付印刷部と、内歯を有する歯車部とが別個の部材で構成されている日車が知られている（例えば、特許文献１参照）。
特許文献１の日車は、日文字印刷部材と歯車部材とが別個の部材で構成され、歯車部材に日文字印刷部材を、接着または溶着によって固定している。
【先行技術文献】
【特許文献】
【０００３】
【特許文献１】特開２００４−５３２６３号公報
【発明の概要】
【発明が解決しようとする課題】
【０００４】
しかしながら、歯車部材に日文字印刷部材を接着する場合、接着剤を塗布する工程や、塗布した接着剤を乾かす工程などが必要であり、組み立てに時間を要してしまう。
また、歯車部材に日文字印刷部材を溶着する場合も、歯車部材や日文字印刷部材を加熱する工程などが必要であり、組み立てに時間を要してしまう。
【０００５】
本発明の目的は、カレンダー車の組み立て時間を短縮できるカレンダー車、時計、カレンダー歯車およびカレンダー歯車の製造方法を提供することにある。
【課題を解決するための手段】
【０００６】
本発明のカレンダー車は、カレンダー情報が表記されたカレンダー板と、前記カレンダー板が取り付けられたカレンダー歯車と、を備え、前記カレンダー板は、複数の係合穴を備え、前記カレンダー歯車は、複数の歯を有する歯車本体部と、前記歯車本体部と一体に形成され、前記歯車本体部から突出し、前記係合穴に挿通されて前記係合穴と係合する複数の突出係合部と、を備えることを特徴とする。
【０００７】
カレンダー車は、例えば、日車、月車、曜車などであり、カレンダー情報は、日、月、曜日などである。
また、係合穴には、内周が閉じた穴だけではなく、内周が閉じておらず、内周がカレンダー板の周縁と連続している溝も含まれる。
本発明によれば、カレンダー板の各係合穴に、カレンダー歯車の突出係合部を挿通させて係合させることで、カレンダー歯車にカレンダー板を固定することができる。
このため、カレンダー歯車にカレンダー板を接着や溶着によって固定する場合と比べて、接着剤を塗布したり、塗布した接着剤を乾かしたり、カレンダー歯車やカレンダー板を加熱したりする必要がないため、カレンダー車の組み立て時間を短縮できる。
また、突出係合部は歯車本体部と一体に形成されているため、例えば突出係合部をピンなどの別の部材によって構成する場合と比べて、日車を組み立てる際に、歯車本体部に突出係合部を位置合わせして固定するなどの必要がないため、カレンダー車の組み立て時間を短縮できる。
【０００８】
本発明のカレンダー車において、前記係合穴のうちの１つの係合穴は、他の係合穴とは異なる形状またはサイズを有し、前記突出係合部のうちの１つの突出係合部は、前記係合穴のうち、前記１つの係合穴にのみ挿通可能な形状またはサイズを有していることが好ましい。
【０００９】
カレンダー車を時計に組み込んだ際、時計が備えるカレンダー窓にカレンダー板に表記されたカレンダー情報が正確に現れるように、カレンダー歯車の歯と、カレンダー板に表記されたカレンダー情報との位置関係は、予め決められている。
このため、カレンダー歯車にカレンダー板を取り付ける際は、カレンダー歯車の歯とカレンダー情報との位置関係が、予め決められた位置関係となるように、カレンダー歯車に対して、カレンダー板を位置合せする必要がある。
本発明によれば、前記１つの突出係合部は、前記１つの係合穴にのみ挿通可能な形状またはサイズを有しているため、前記１つの突出係合部の位置と前記１つの係合穴の位置とが一致した場合にのみ、カレンダー歯車にカレンダー板を取り付けることができる。
従って、前記１つの突出係合部の位置と前記１つの係合穴の位置とが一致した場合に、カレンダー歯車の歯とカレンダー情報との位置関係が正しい位置関係となるように予め設定しておくことで、カレンダー歯車にカレンダー板が間違った位置で取り付けられることを防止できる。
【００１０】
本発明のカレンダー車において、前記カレンダー歯車は、内歯車であり、前記カレンダー板は、平面中心が、前記カレンダー歯車の平面中心と同じ位置となるリング状に形成され、前記カレンダー板の内周縁は、平面視において、前記カレンダー歯車の歯底円よりも内側に位置していることが好ましい。
【００１１】
本発明では、カレンダー車は、日車などにおいて一般的であるリング状に形成されている。
本発明では、カレンダー歯車とカレンダー板とが別の部材で構成されているため、カレンダー板の内周縁を、平面視において、カレンダー歯車の歯底円よりも内側に位置させることができる。
これによれば、カレンダー板の内周縁が歯底円の外側に位置している一般的な日車と比べて、カレンダー情報を内側に位置させることができ、カレンダー情報が内側に表示されるデザインの時計を製造できる。
【００１２】
本発明の時計は、前記カレンダー車を備えることを特徴とする。
本発明によれば、上記カレンダー車と同様の作用効果を奏することができる。
【００１３】
本発明のカレンダー歯車は、カレンダー情報が表記され、かつ、複数の係合穴を備えたカレンダー板が取り付けられるカレンダー歯車であって、リング状に形成されたリング部と、前記リング部の内周面に形成された歯部と、前記リング部の外周面から外側に延出した複数の延出部とを有する歯車本体部と、前記延出部と一体に形成され、前記延出部から突出する複数の突出係合部と、を備えることを特徴とする。
【００１４】
本発明によれば、カレンダー板の各係合穴に、カレンダー歯車の突出係合部を挿通させて係合させることで、カレンダー歯車にカレンダー板を固定することができる。また、突出係合部は歯車本体部と一体に形成されている。これらにより、カレンダー車の組み立て時間を短縮できる。
また、突出係合部はリング部の外周面から外側に延出した延出部に形成されるため、延出部の延出寸法を調整することで、係合穴の位置にあわせて突出係合部を形成できる。また、リング部には突出係合部は形成されないため、リング部の径方向の寸法（リング部の内周径と外周径との差）は、突出係合部の位置に依らずに、強度や製造のしやすさなどを考慮して適宜設定できる。
このため、リング部に突出係合部を形成する場合と比べて、リング部の径方向の寸法を小さくでき、カレンダー歯車の体積を小さくできる。これにより、カレンダー歯車の材料を少なくし、カレンダー歯車を軽量化できる。
【００１５】
本発明は、カレンダー歯車の製造方法であって、前記カレンダー歯車は、金型を用いた射出成形によって形成され、前記金型において、前記リング部における前記延出部の内側部分に対応する位置に設けられたゲートから、前記カレンダー歯車の材料を注入することで、前記カレンダー歯車を成形することを特徴とする。
【００１６】
本発明によれば、金型内において、断面積が小さく材料が充填されにくい突出係合部に対応する空間に、当該空間の近くから材料を注入できるため、当該空間にも材料を好適に充填させることができる。これにより、突出係合部を備えるカレンダー歯車を良好に成形できる。
【図面の簡単な説明】
【００１７】
【図１】本発明の実施形態に係る時計の正面図である。
【図２】前記実施形態における時計の部分断面図である。
【図３】前記実施形態における日車の平面図である。
【図４】前記実施形態における日車の断面図である。
【図５】前記実施形態における日歯車の平面図である。
【図６】前記実施形態における日板の平面図である。
【図７】前記実施形態における曜車の平面図である。
【発明を実施するための形態】
【００１８】
［時計１の構成］
時計１は、図１に示すように、ユーザーの手首に装着される腕時計であり、円筒状の外装ケース１１を備え、外装ケース１１の内周側に、円盤状の文字板１２が配置されている。外装ケース１１の二つの開口のうち、表面側の開口は、カバーガラス１３で塞がれており、裏面側の開口は図示しない裏蓋で塞がれている。
【００１９】
また、時計１は、外装ケース１１内に収容されたムーブメント、秒針２１、分針２２、時針２３を備えている。
各指針２１〜２３は、ムーブメントの指針軸に取り付けられ、ムーブメントにより駆動される。各指針２１〜２３は、文字板１２の表面側に配置され、ムーブメントは、文字板１２の裏面側に配置されている。
【００２０】
また、文字板１２には、平面視で矩形状に形成されたカレンダー小窓１２Ａと、文字板１２の外周縁に沿って湾曲し、細長く形成されたカレンダー小窓１２Ｂとが設けられている。
カレンダー小窓１２Ａからは、ムーブメントと文字板１２との間に配置された日車３の数字が視認可能となっている。日車３の数字は、年月日の「日」を表す。
カレンダー小窓１２Ｂからは、ムーブメントと文字板１２との間に配置された曜車６の曜日が視認可能となっている。
ここで、平面視において、文字板１２の平面中心からカレンダー小窓１２Ｂまでの距離は、前記平面中心からカレンダー小窓１２Ａまでの距離よりも長い。
また、外装ケース１１の側面には、リューズ１４が設けられている。リューズ１４が操作されることにより、操作に応じた入力を行うことができる。
【００２１】
図２は、時計１の日車３の近傍の部分断面図である。
図２に示すように、ムーブメントが備える地板７１の表面には、略円盤状の日ジャンパー（日車案内）７２が設けられ、日ジャンパー７２の外周を囲むように、リング状の日車３が配置されている。
日車３は、詳しくは後述するが、リング状に形成され、歯部４１４を有する日歯車４と、リング状に形成され、日歯車４に取り付けられた日板５とを備えている。
また、日ジャンパー７２の表面側には、略円盤状の日車押さえ７３が配置されている。日ジャンパー７２および日車押さえ７３は、ねじ７４によって地板７１に固定されている。
また、日車押さえ７３の外周縁は、平面視において、日歯車４における歯部４１４の歯先円と歯底円との間に位置している。この構成によれば、歯部４１４が日車押さえ７３の裏面に当接することにより、日歯車４の文字板１２に近づく方向への移動が規制され、日車３の脱落が防止される。
【００２２】
また、日車３と文字板１２との間には、曜車６を構成する円盤状の曜板６２が設けられている。曜板６２は、曜車６を構成する曜星車６１（図７）に取り付けられている。
ここで、文字板１２には、裏面側に文字板足１２１が設けられている。文字板足１２１は、日板５および曜板６２の外側に位置し、地板７１に形成された穴７１１に挿通されている。そして、当該穴７１１に挿通された文字板足１２１は、地板７１に取り付けられた文字板足固定ピン７５によって地板７１に固定されている。
なお、詳しくは後述するが、時計１は、カレンダー情報として日のみが表示される時計に対して、文字板足の位置を変更することなく製造することができる。
【００２３】
時計１を組み立てる場合、まず、地板７１に対して、日ジャンパー７２を取り付け、次に、日歯車４を取り付ける。そして、日車押さえ７３を取り付けた後、日歯車４に日板５を取り付ける。そして、曜車６を取り付ける。
また、時計１を分解する場合は、組み立てる場合とは反対に、曜車６、日板５、日車押さえ７３、日歯車４、日ジャンパー７２の順番で取り外される。
【００２４】
［日車３の構成］
図３は、日車３を表面側から見た平面図であり、図４は、日車３の断面図である。
図３、図４に示すように、日車３は、リング状に形成され、歯部４１４を備えた日歯車４と、リング状に形成され、日歯車４の表面に取り付けられた日板５とを備える。
ここで、日車３は、本発明のカレンダー車の一例である。すなわち、日歯車４は、本発明のカレンダー歯車の一例であり、日板５は、本発明のカレンダー板の一例である。また、日板５に表記される日は、本発明のカレンダー情報の一例である。
【００２５】
［日歯車４の構成］
図５は、日歯車４を表面側から見た平面図である。
図４、図５に示すように、日歯車４は、内歯車であり、歯車本体部４１と、歯車本体部４１から突出した複数の突出係合部４３を備えている。具体的には、突出係合部４３として３つの突出係合部４３１，４３２，４３３を備えている。突出係合部４３１〜４３３は、日板５に設けられた後述する係合穴５１〜５３に挿通されて係合穴５１〜５３と係合する。歯車本体部４１および突出係合部４３１〜４３３は一体に形成され、例えば、プラスチックなどの材料によって形成されている。
【００２６】
歯車本体部４１は、リング状に形成されたリング部４１０と、リング部４１０の内周面に形成された歯部４１４と、リング部４１０の外周面から外側に延出した３つの延出部４１１，４１２，４１３を備えている。
リング部４１０は、内周側に、日板５から離れる方向に窪んだ段差部を備えている。
歯部４１４は、リング部４１０の段差部の内周面に形成され、３１個の歯によって構成されている。
延出部４１１〜４１３は、日歯車４の平面中心に対して、等しい角度間隔（１２０°）で配置されている。
ここで、突出係合部４３１〜４３３はリング部４１０の外周面から外側に延出した延出部４１１〜４１３に形成されるため、延出部４１１〜４１３の延出寸法を調整することで、係合穴５１〜５３の位置にあわせて突出係合部４３１〜４３３を形成できる。また、リング部４１０には突出係合部は形成されないため、リング部４１０の径方向の寸法Ｄ（リング部の内周径と外周径との差）は、突出係合部４３１〜４３３の位置に依らずに、強度や製造のしやすさを考慮して適宜設定できる。
【００２７】
突出係合部４３１〜４３３は、延出部４１１〜４１３の表面から日板５に向かって突出して形成されている。
ここで、日板５の係合穴５１〜５３は、後述するように、日板５に表記された日の数字の外側に形成されているため、係合穴５１〜５３と係合する突出係合部４３１〜４３３も、平面視において、日の数字の外側に位置している。
【００２８】
突出係合部４３１は、円柱状に形成され、延出部４１１の表面から、日板５に向かって突出している。
また、突出係合部４３１は、図４、図５に示すように、日板５に近づく方向の端部に、日歯車４の平面中心に向かって延出した係合爪４３１Ａを備えている。
また、延出部４１１には、表面側から見て、突出係合部４３１の内側に、突出係合部４３１の外周に沿った円弧状の穴４１１Ａが設けられている。ここで、日歯車４は、後述するように、金型を用いた射出成形によって形成される。穴４１１Ａは、金型によって係合爪４３１Ａを成形するために設けられる穴である。
【００２９】
突出係合部４３２も、突出係合部４３１と同様に形成され、係合爪４３２Ａを備えている。
また、延出部４１２には、延出部４１１と同様に、穴４１２Ａが設けられている。
【００３０】
突出係合部４３３も、突出係合部４３１，４３２と同様に形成され、係合爪４３３Ａを備えている。
ただし、突出係合部４３３は、平面視における形状が、突出係合部４３１，４３２とは異なり、日歯車４の平面中心に向かう方向に沿って細長く形成されている。
また、係合爪４３３Ａは、突出係合部４３３の日板５に近づく方向の端部から、日歯車４の平面中心だけではなく、日歯車４の内周縁に沿った両方向にも延出している。
また、延出部４１３には、延出部４１１，４１２と同様に、穴４１３Ａが設けられている。
【００３１】
［日板５の構成］
図６は、日板５を表面側から見た平面図である。
図６に示すように、日板５はリング状に形成されている。図３、図４に示すように、日板５の平面中心は、日歯車４の平面中心と一致している。そして、日板５の内周縁は、平面視において、日歯車４における歯部４１４の歯先円とほぼ一致している。また、日板５の外周縁は、平面視において、日歯車４の外周縁よりも外側に位置している。日板５は、プラスチックなどの材料によって形成されている。
【００３２】
図６に示すように、日板５の表面には、内周縁に沿って、日を表す１〜３１の数字が印刷されている。
また、日板５には、１〜３１の数字よりも外側に、３つの係合穴５１〜５３が設けられている。
各係合穴５１〜５３は、図３に示すように、日歯車４の突出係合部４３１〜４３３に対応した位置に設けられている。
【００３３】
係合穴５１には、突出係合部４３１が挿通される。係合穴５１は、突出係合部４３１が配置される第１穴部５１１と、第１穴部５１１と連通し、第１穴部５１１に対して、反時計回りの方向に設けられた第２穴部５１２とを備えている。
第１穴部５１１は、突出係合部４３１の係合爪４３１Ａを除く部分の外周径と、ほぼ同じ内周径を有している。
第２穴部５１２は、第１穴部５１１よりも内周径が大きく形成されている。
なお、係合穴５１は、突出係合部４３３を挿通させることができない形状に形成されている。
係合穴５２には、突出係合部４３２が挿通される。係合穴５２は、係合穴５１と同様に、第１穴部５２１および第２穴部５２２を備えている。そして、係合穴５２は、突出係合部４３３を挿通させることができない形状に形成されている。
【００３４】
係合穴５３には、突出係合部４３３が挿通される。
係合穴５３は、日板５の平面中心に向かう方向に沿って細長く形成され、内周が日板５の外周縁と連続している溝である。
また、係合穴５３における長手方向と直交する方向の幅寸法は、突出係合部４３３の係合爪４３３Ａを除いた部分における長手方向と直交する方向の幅寸法とほぼ同じ寸法となっている。
【００３５】
［日歯車４に対する日板５の取付方法］
日歯車４に日板５を取り付ける場合、まず、日板５の係合穴５１，５２の第２穴部５１２，５２２に、日歯車４の突出係合部４３１，４３２を挿通させる。
次に、日歯車４に対して、日板５を反時計回りに回転させて、第２穴部５１２，５２２に配置されていた突出係合部４３１，４３２を、第１穴部５１１，５２１内に移動させる。
次に、日板５を撓ませて、係合穴５３に、突出係合部４３３をスライドさせて配置させる。
このようにして、日歯車４に日板５を取り付けることができる。
なお、最初に係合穴５３に突出係合部４３３をスライドさせて配置させた後、係合穴５１，５２の第２穴部５１２，５２２に、突出係合部４３１，４３２を挿通させ、その後、突出係合部４３１，４３２を、第１穴部５１１，５２１内に移動させるようにしてもよい。
【００３６】
ここで、突出係合部４３１〜４３３の係合爪４３１Ａ〜４３３Ａは、日板５の表面側に位置している。このため、日板５の時計表面側への移動は、日板５の表面が係合爪４３１Ａ〜４３３Ａに当接することで規制される。これにより、日板５の日歯車４からの脱落を防止できる。
また、日板５の外周に沿った方向の移動は、突出係合部４３３の外周面が、係合穴５３の内周面に当接することで規制される。
このようにして、突出係合部４３１〜４３３は、係合穴５１〜５３と係合し、これにより、日歯車４に対して日板５が固定される。
【００３７】
［日歯車４の製造方法］
次に、日歯車４の製造方法について説明する。
日歯車４は、金型を用いた射出成形によって形成される。具体的には、金型において、リング部４１０における延出部４１１〜４１３の内側部分に対応する位置に設けられたゲートＧ（図５参照）から、日歯車４の材料を注入することで、日歯車４を成形する。
【００３８】
［曜車６の構成］
図７は、曜車６を表面側から見た平面図である。
図７に示すように、曜車６は、曜星車６１と、曜星車６１に取り付けられた曜板６２とを備えている。
曜板６２の表面には、外周に沿って、曜日を示す英字が表記されている。また、英字の内側には、曜板６２の外周に沿って、７つの開口部が設けられている。各開口部は、曜日を示す英字がカレンダー小窓１２Ｂに現れた場合に、平面視において、カレンダー小窓１２Ａと重なる位置に設けられている。これにより、日板５の数字は、曜板６２によって隠されることなく、カレンダー小窓１２Ａから視認される。
【００３９】
［実施形態の作用効果］
時計１によれば、日板５の各係合穴５１〜５３に、日歯車４の突出係合部４３１〜４３３を挿通させて係合させることで、日歯車４に日板５を固定することができる。
このため、日歯車４に日板５を接着や溶着によって固定する場合と比べて、接着剤を塗布したり、塗布した接着剤を乾かしたり、日歯車４や日板５を加熱したりする必要がないため、日車３の組み立て時間を短縮できる。
また、突出係合部４３１〜４３３は歯車本体部４１と一体に形成されているため、例えば突出係合部をピンなどの別の部材によって構成する場合と比べて、日車３を組み立てる際に、歯車本体部４１に突出係合部を位置合わせして固定するなどの必要がないため、日車の組み立て時間を短縮できる。
【００４０】
日車３を時計１に組み込んだ際、カレンダー小窓１２Ａに日板５の数字が正確に現れるように、日歯車４における歯部４１４の歯と、日板５に表記された数字との位置関係（位相）は、予め決められている。
このため、日歯車４に日板５を取り付ける際は、歯部４１４の歯と日板５の数字との位置関係が、予め決められた位置関係となるように、日歯車４に対して、日板５を位置合せする必要がある。
ここで、時計１では、日歯車４において、平面中心に対して、１２０°の角度間隔で３つの突出係合部４３１〜４３３が形成され、日板５において、平面中心に対して、１２０°の角度間隔で３つの係合穴５１〜５３が形成されており、突出係合部４３１〜４３３と係合穴５１〜５３との組み合せは、３通り考えられる。
しかしながら、日歯車４の歯部４１４の歯は３１個あり、３で割り切れないため、１つの組み合せにおいて、歯部４１４の歯と日板５の数字との位置関係が正しくなるように設定した場合、他の２つの組み合せでは、当該位置関係は正しくならない。
時計１では、突出係合部４３３は、係合穴５３にのみ挿通可能な形状を有しているため、突出係合部４３３の位置と係合穴５３の位置とが一致した場合にのみ、日歯車４に日板５を取り付けることができる。
従って、突出係合部４３３の位置と係合穴５３の位置とが一致した場合に、日歯車４の歯と日板５の数字との位置関係が正しい位置関係となるように予め設定しておくことで、日歯車４に日板５が間違った位置で取り付けられることを防止できる。
【００４１】
時計１では、日歯車４と日板５とが別の部材で構成されているため、日板５の内周縁を、平面視において、日歯車４における歯部４１４の歯底円よりも内側に位置させることができる。
これによれば、日板５の内周縁が歯底円の外側に位置している一般的な日車と比べて、日を表す数字を内側に位置させることができ、日が内側に表示されるデザインの時計を製造できる。
【００４２】
また、カレンダー情報として日のみが表示される時計に対して、部品を変更して、日の外側に曜日が表示されるデザインの時計を製造する場合、日車のサイズを変えない場合は、日車よりもサイズの大きい曜車を内蔵させる必要があるため、日車の外側に位置していた文字板足の位置を外側に移動させる必要がある。この場合、地板における文字板足が挿通される穴の位置を変更する必要がある。
これに対して、上記のように、日の位置を内側に移動させることができれば、移動により空いたスペースに曜日を位置させることで、曜車のサイズを元の時計の日車と同じサイズとすることができる。これによれば、文字板足の位置を外側に移動させる必要がないため、地板における文字板足が挿通される穴の位置を変更する必要がない。従って、地板の構成を変更せずに、日の外側に曜日が表示されるデザインの時計を製造できる。
【００４３】
時計１では、リング部４１０には突出係合部は形成されないため、リング部４１０の径方向の寸法Ｄは、突出係合部４３１〜４３３の位置に依らずに、強度や製造のしやすさなどを考慮して適宜設定できる。このため、リング部４１０に突出係合部を形成する場合と比べて、リング部４１０の径方向の寸法Ｄを小さくでき、日歯車４の体積を小さくできる。これにより、日歯車４の材料を少なくし、日歯車を軽量化できる。また、日歯車４を、金型を用いた射出成形によって形成する際、ゲートＧから注入された材料が、金型内全体に流動し易くでき、金型内に均一に材料を充填させることができる。これにより、形成された日歯車４の強度を向上できる。
なお、日歯車４の上記形状による軽量化や、金属ではなくプラスチックで形成されることでの軽量化により、駆動トルクを低減でき、エネルギー効率を向上させることもできる。
【００４４】
日歯車４の製造方法によれば、金型において、リング部４１０における延出部４１１〜４１３の内側部分に対応する位置に設けられたゲートＧから、日歯車４の材料が注入される。これによれば、金型内において、断面積が小さく材料が充填されにくい突出係合部４３１〜４３３に対応する空間に、当該空間の近くから材料を注入できるため、当該空間にも材料を好適に充填させることができる。これにより、突出係合部４３１〜４３３を備える日歯車４を良好に成形できる。
【００４５】
［他の実施形態］
なお、本発明は前述の実施形態に限定されるものではなく、本発明の目的を達成できる範囲での変形、改良等は本発明に含まれるものである。
前記実施形態では、本発明のカレンダー車として、日車３が例示されているが、本発明のカレンダー車はこれに限定されない。例えば、時計１が備える曜車６や、月車であってもよい。
【００４６】
前記実施形態では、係合穴５３は、係合穴５１，５２と異なる形状に形成され、突出係合部４３３は、突出係合部４３１，４３２と異なる形状に形成されているが、本発明はこれに限定されない。すなわち、係合穴５３は、係合穴５１，５２とサイズが異なっていれば、形状が同じであってもよい。また、突出係合部４３３は、突出係合部４３１，４３２とサイズが異なっていれば、形状が同じであってもよい。
なお、日歯車４と日板５との位置合わせを、例えば、日歯車４および日板５に設けられた位置合せ用のマーカーなどを用いて行う場合には、係合穴５３が、係合穴５１，５２と同じ形状およびサイズに形成され、突出係合部４３３が、突出係合部４３１，４３２と同じ形状およびサイズに形成されていてもよい。
【００４７】
前記実施形態では、突出係合部および係合穴は、それぞれ３個ずつ形成されているが、本発明はこれに限定されない。すなわち、突出係合部および係合穴は、それぞれ、２個、または、４個以上形成されていてもよい。
【００４８】
前記実施形態では、日板５の内周縁は、平面視において、日歯車４の歯部４１４の歯先円とほぼ一致しているが、本発明はこれに限定されない。すなわち、日板５の内周縁は、歯部４１４の歯底円よりも内側または外側におけるどの場所に位置していてもよい。
【００４９】
前記実施形態では、延出部４１１〜４１３に突出係合部４３１〜４３３が形成されているが、本発明はこれに限定されない。例えば、平面視において、係合穴５１〜５３が、リング部４１０と重なる場合は、リング部４１０に突出係合部４３１〜４３３が形成される。この場合、延出部４１１〜４１３はなくてもよい。
【００５０】
前記実施形態では、日歯車４は、金型を用いた射出成形によって形成されているが、本発明はこれに限定されない。すなわち、他の方法によって製造されてもよい。
【符号の説明】
【００５１】
１…時計、３…日車（カレンダー車）、４…日歯車（カレンダー歯車）、４１…歯車本体部、４１０…リング部、４１１〜４１３…延出部、４１４…歯部、４３１〜４３３…突出係合部、４３１Ａ〜４３３Ａ…係合爪、５…日板（カレンダー板）、５１〜５３…係合穴。
【図１】
2017026380.tif 000003
【図２】
2017026380.tif 000004
【図３】
2017026380.tif 000005
【図４】
2017026380.tif 000006
【図５】
2017026380.tif 000007
【図６】
2017026380.tif 000008
【図７】
2017026380.tif 000009